(57)【要約】【課題】  メガネ型ウェアラブル機器を装着しながら撮像装置を操作する際、ユーザの操作性を低下させることなくファインダーからの静止画撮影を可能にした、メガネ型ウェアラブル機器の表示制御を提供すること。【解決手段】  光学ファインダーと、通信手段と、オートフォーカス手段とオートフォーカスした結果を光学ファインダー内に表示する手段と、静止画撮影手段と、光学ファインダーの視線位置を取得手段とを有する撮像装置と、表示部と、通信手段と視線位置検出手段を有するメガネ型の電子機器と、オートフォーカス手段が実行された際、光学ファインダー内の表示を消灯し、光学ファインダーとメガネ型機器の表示が重なる位置を演算し、メガネ型機器に通知することで、メガネ型機器の表示においてオートフォーカスした結果を表示することを特徴とする構成とした。【選択図】  図１
2018033055.tif 000002
【特許請求の範囲】
【請求項１】
光学ファインダー（２０３）と、
通信手段と（２０８）、
オートフォーカス手段（Ｓ１０１）と
オートフォーカスした結果を光学ファインダー内に表示する手段（Ｓ１０２）と、
静止画撮影手段（２０７）と
光学ファインダーの視線位置を取得手段（Ｓ１０６）とを有する撮像装置と、
表示部（２１２）と、
通信手段（２１４）と
視線位置検出手段（２１２）を有するメガネ型の電子機器と
オートフォーカス手段が実行された際、光学ファインダー内の表示を消灯し、光学ファインダーとメガネ型機器の表示が重なる位置を演算し、メガネ型機器に通知することで、メガネ型機器の表示部にオートフォーカスした結果を表示（Ｓ１０９）することを特徴とする撮像装置。
【請求項２】
静止画撮影が完了した際、メガネ型機器の表示を消灯するよう通知（Ｓ１１２）することを特徴とする、請求項１に記載の撮像装置。
【請求項３】
光学ファインダー（２０３）と、
通信手段と（２０８）、
撮影情報手段（Ｓ１１４）と
撮影情報を光学ファインダー内に表示する手段（Ｓ１１５）と、
静止画撮影手段（２０７）と
光学ファインダーの視線位置を取得手段（Ｓ１１８）とを有する撮像装置と、
表示部（２１２）と、
通信手段（２１４）と
視線位置検出手段（２１２）を有するメガネ型の電子機器と
静止画撮影手段が実行された際、光学ファインダー内の表示を消灯し、光学ファインダーとメガネ型機器の表示が重なる位置を演算し、メガネ型機器に通知することで、メガネ型機器の表示において撮影情報を表示（Ｓ１２２）することを特徴とする撮像装置。
【請求項４】
静止画撮影が完了した際、メガネ型機器の表示を消灯するよう通知（Ｓ１２５）することを特徴とする、請求項３に記載の撮像装置。
【請求項５】
光学ファインダー（２０３）と、
通信手段と（２０８）、
光学ファインダーの視線位置を取得手段（Ｓ１３０）とを有する撮像装置と、
静止画撮影手段（２０７）と、
多重撮影手段（Ｓ１２６）と、
表示部（２１２）と、
通信手段（２１４）と、
視線位置検出手段（２１２）を有するメガネ型の電子機器とを有し、
静止画撮影手段が実行されていない場合にメガネ型機器に画像データを通知し、メガネ型機器の表示部に表示し（Ｓ１３３）、静止画撮影手段が実行されたタイミングでメガネ型機器の表示を消灯するように通知する（Ｓ１３５）ことを特徴とする撮像装置。
【請求項６】
光学ファインダー（２０３）と、
通信手段と（２０８）、
光学ファインダーの視線位置を取得手段（Ｓ１３９）とを有する撮像装置と、
静止画撮影手段（２０７）と、
マルチアスペクト撮影手段（Ｓ１３６）と、
表示部（２１２）と、
通信手段（２１４）と、
視線位置検出手段（２１２）を有するメガネ型の電子機器とを有し、
静止画撮影手段が実行されていない場合にメガネ型機器にマルチアスペクト情報通知し、メガネ型機器の表示部に表示し（Ｓ１４２）、静止画撮影手段が実行されたタイミングでメガネ型機器の表示を消灯するように通知する（Ｓ１４４）ことを特徴とする撮像装置。
【発明の詳細な説明】
【技術分野】
【０００１】
本発明は、メガネ型ウェアラブル機器と連携が可能な撮像装置に関し、特に撮像装置の状態に応じたメガネ型ウェアラブル機器の表示制御に関するものである。
【背景技術】
【０００２】
従来、撮像装置とＰＣやスマートフォンと連携した機能は一般的に普及している。例えば、スマートフォンに撮像装置で撮像した画像を表示させながらスマートフォンから撮影のトリガを与えることでリモート撮影を提供する機能がある。また、スマートフォンから撮像装置内の画像の閲覧、取得を提供する機能が提供されている。このように機器が連携することでユーザの操作性を向上させる機能が一般的に提供されている。特に、機器同士が連携した際の表示制御に関する技術が公開されている。
【０００３】
例えば、特許文献１では近接センサの検出結果に基づき、複数デバイスのうちどちらかのデバイスに表示するかを判断し、表示しないデバイスのオフ制御を行った後に表示デバイスへの画像転送の制御を行う発明が開示されている。特許文献２では接眼部を有するファインダー光学系と、それとは別の視野確認画像を提示する表示部があるカメラにおいて、ユーザの操作に基づいて、接眼部に光学像を提示するのか、視野確認画像を表示するのかを切り替える技術が公開されている。
【先行技術文献】
【特許文献】
【０００４】
【特許文献１】特開２０１２−０２３７２３号公報
【特許文献２】特開２００８−９６５６０号公報
【発明の概要】
【発明が解決しようとする課題】
【０００５】
しかしながら、上述の特許文献に開示された従来技術では、ユーザが意図しないタイミングで表示が切り替わってしまうことや、光学系ファインダーに表示できないタイミングが発生することでユーザの操作性を低下させてしまう恐れがある。
【０００６】
連写中など、測光処理の妨げになってしまうため、ファインダー内表示を消灯する必要があり、合焦位置や撮影可能枚数などの撮影情報を確認できない状況がある。また、多重撮影で重ね合わせ画像の位置合わせなど、光学ファインダー単体では提供できない機能が存在することでユーザの操作性を低下させてしまう恐れがある。
【０００７】
そこで、本発明の目的は、メガネ型ウェアラブル機器を装着しながら光学ファインダーから撮影する際、ユーザの操作性を低下させることなく撮像装置の状態に応じてメガネ型ウェアラブル機器の表示制御を行う機能を提供することである。
【課題を解決するための手段】
【０００８】
上記目的を達成するために、光学ファインダーと、通信手段と、オートフォーカス手段とオートフォーカスした結果を光学ファインダー内に表示する手段と、静止画撮影手段と、光学ファインダーの視線位置を取得手段とを有する撮像装置と、表示部と、通信手段と
視線位置検出手段を有するメガネ型の電子機器と、オートフォーカス手段が実行された際、光学ファインダー内の表示を消灯し、光学ファインダーとメガネ型機器の表示が重なる位置を演算し、メガネ型機器に通知することで、メガネ型機器の表示部にオートフォーカスした結果を表示することを特徴とする撮像装置を特徴とする。
【発明の効果】
【０００９】
本発明によれば、メガネ型ウェアラブル機器を装着しながら撮像装置のファインダー撮影を行う際に、ユーザの操作性を向上させる機能を提供することができる。
【図面の簡単な説明】
【００１０】
【図１】撮像装置の状態によるメガネ型ウェアラブル機器の表示制御シーケンス図
【図１ａ】撮像装置の状態によるメガネ型ウェアラブル機器の表示制御シーケンス図
【図１ｂ】撮像装置の状態によるメガネ型ウェアラブル機器の表示制御シーケンス図
【図２】本発明の基本構成図
【図３】視線検出光学系の概略図
【図４】光学ファインダー、メガネ型機器表示部における表示イメージ図
【発明を実施するための形態】
【００１１】
以下に、本発明の好ましい実施の形態を、添付の図面に基づいて詳細に説明する。図２は、本発明の実施形態にかかわる撮像装置とメガネ型ウェアラブル機器の構成図である。２００は撮影レンズである。撮影レンズの種類としては、単焦点レンズやズームレンズが存在する。２０１は撮像素子である。撮像素子２０１にはＣＣＤやＣＭＯＳセンサなどが用いられ、撮影レンズ２００によって結像された被写体像を電気信号に変換する。２０２はＡ／Ｄ変換器である。Ａ／Ｄ変換器２０２は撮像素子２０１のアナログ出力信号をデジタル信号に変換する。２０３は光学ファインダーである。
【００１２】
本発明に関しては視線検出を使った位置合わせ処理を行う。そのための必要な光学部材である。光学部材、処理の詳細は図３を使って説明する。２０４はマイクロコンピュータである。マイクロコンピュータ２０４は各構成要素の制御やデータ処理など撮像装置全体を制御する。本実施例で説明する、メガネ型機器の表示制御のタイミング等、すべての処理をマイクロコンピュータ２０４で行う。２０５は揮発性メモリである。揮発性メモリ２０５にはＡ／Ｄ変換器でデジタル信号に変換された画像データを一時的に保持する。２０６は不揮発性メモリである。
【００１３】
不揮発性メモリ２０６にはマイクロコンピュータ２０４で処理する撮像装置の実行プログラムがある。２０７は画像処理部である。画像処理部２０７では、撮影された画像に対する画像処理を行う。多重撮影における重ね合わせ画像の生成等も行う。２０８は通信部材である。メガネ型ウェアラブル機器との通信制御をおこなう。例えば、ＢｌｕｅＴｏｏｔｈ（登録商標） Ｌｏｗ Ｅｎｅｒｇｙなどの技術を想定する。通信技術に関しては、特に本実施例では限定しない。２０９は表示部材である。操作部材２１０にはスイッチ、ボタンなどがあり、表示部材２０９で表示されたものに対する操作を行う。
【００１４】
操作部材２１０には、静止画撮影時のオートフォーカスのトリガであるＳＷ１押下や、静止画撮影のトリガとなるＳＷ２を検知する仕組みを有する。
【００１５】
メガネ型ウェアラブル機器の構成を説明する。２１１はメガネレンズである。２１２は表示部材である。表示部材２１２には、通信部材２０８を通して、撮像装置で撮像した画像や、再生画像、メニューなどの表示を行うことが可能である。表示部材に関して、撮影者がメガネ型機器の表示部のどこを覗いているのか視線検出機能を有するものを想定している。
【００１６】
本実施例ではメガネ型ウェアラブル機器の視線検出アルゴリズムには特筆せず、メガネ型ウェアラブル機器から取得できるものとして本実施例は説明する。２１３はメガネ型ウェアラブル機器での撮像で使用するレンズである。２１４は通信部材である。撮像装置の通信部材２０８と通信する処理を制御する。撮像装置の通信部材２０８同様、例えば、ＢｌｕｅＴｏｏｔｈ（登録商標）  Ｌｏｗ Ｅｎｅｒｇｙなどの技術を想定する。通信技術に関しては、特に本実施例では限定しない。
【００１７】
図３（Ａ）は、本発明の実施形態にかかわる撮像装置の視線検出光学系の概略図である。３００は撮影レンズである。３０１は主ミラーである。３０２はピント版である。３０３はペンタプリズムである。３０４は接眼レンズである。３０５は赤外光のみを反射する赤外反射ミラーである。３０５の赤外反射ミラーは接眼レンズ３０４に含まれる。撮影者は接眼レンズ３０４に眼を近づけて被写体を観察する。３０６は撮影者に対して不感の赤外光を放射する発光ダイオード等の光源である。
【００１８】
本実施例は、赤外発光ダイオードとして説明する。３０７は撮影者の眼である。３０８は受光レンズである。光源３０６が発行した光が撮影者の眼球３０７で反射し、この赤外光の一部が接眼レンズ３０４内の赤外反射ミラー３０５で反射された光を受光する。３０９はイメージセンサである。受光レンズ３０８で受けた光がイメージセンサ３０９に集光される。
【００１９】
図３（Ｂ）は、イメージセンサ３０９に投影される眼球像の概略図である。３１０、３１１は赤外発光ダイオード３０６の角膜反射像である。３１２は眼球の白目の部分である。３１３は虹彩である。３１４は瞳孔である。３１５は眼の回りの皮膚部分である。３１６は、図３（Ｂ）によるイメージセンサにてＥ）からＥ´）のラインの出力信号の強度を示したものである。眼球像の特徴としては、赤外発光ダイオード３０６の角膜反射の輝度が一番高いが面積的にはあまり大きくない（３１７）。瞳孔３１４は、反射率が非常に低いため、輝度レベルが最低で、ある程度の面積を占めることである（３１８）。白目３１２は、角膜反射と瞳孔部分の輝度レベルの中間になり（３１９）、皮膚の部分は外光や照明条件により輝度が高かったり、低かったりする（３２０）。
【００２０】
図３（Ｃ）は、視線検出の原理を説明するための図である。３０７は撮影者の眼球、３２１は角膜、３２２は虹彩である。この図を用いて、視線の検出方法を説明する。
【００２１】
赤外発光ダイオード３０６−ｂより放射された赤外光は、撮影者の眼球３０７の角膜３２１を照射する。このとき、角膜３２１の表面で反射した赤外光の一部により形成される角膜反射像ｄ（虚像）は受光レンズ３０８により集光され、イメージセンサ３０９上の位置ｄ´に結像する。同様に赤外発光ダイオード３０６−aにより放射された赤外光は、眼球３０７の角膜３２１を照射する。このとき、角膜３２１の表面で反射した赤外光の一部により形成された角膜反射像eは受光レンズ３０８により集光され、イメージセンサ３０９上の位置e´に結像する。
【００２２】
また、虹彩３２２の端部a、bからの光束は、受光レンズ３０８を介して、イメージセンサ３０９上の位置a´、b´に結像する。受光レンズ３０８の光軸に対する眼球３０７の光軸の回転角θが小さい場合、虹彩３２２の端部a、bのx座標をxa、xbとすると、瞳孔３１４の中心位置座標xcは、下記のようにあらわされる。
ｘｃ≒（ｘa + ｘb）/ 2
また、角膜反射像ｄおよびeの中点のｘ座標と角膜３２１の曲率中心の座標oのx座標xoとがおおよそ一致する。このため、角膜反射像の発生位置ｄ、eのx座標をｘｄ、ｘe、角膜３２１の曲率中心oと瞳孔の中心cまでの標準的な距離をOCとすると、眼球の光軸回転角θxは下記の式を満たす。
【００２３】
OC × SINθx ≒ (ｘd + ｘe)/２−xc  ・・・（１）
このように、イメージセンサ３０９上に眼球３０７の各特徴点（角膜反射像および、瞳孔の中心）の位置を検出することで、眼球３０７の光軸の回転角θを求めることができる。
【００２４】
眼球２０７の光軸の回転角は、（１）式より、下記の式で求められる。
β×OC×SINθx ≒ { (ｘpo-δｘ) -xic } × pitch・・・（２）
β×OC×SINθy ≒ { (ypo-δy) -yic } × pitch・・・（３）
【００２５】
ここでθxはx-z平面内での眼球光軸の回転角、θyはy-z平面内での眼球光軸の回転角である。(xpo, ypo)はイメージセンサ３０９の２個の角膜反射像の中点の座標、（xic, yic）はイメージセンサ３０９上の瞳孔の中心座標である。Pitchはイメージセンサ３０９の画素ピッチである。βは受光レンズ３０８に対する眼球３０７の位置により決まる結像倍率で、実質的には２個の角膜反射像の間隔の関数として求められる。
【００２６】
δｘ、δｙは角膜反射像の中点の座標を補正する補正光であり、撮影者の眼球を平行光ではなく、発散光にて照射していることにより生じる誤差を補正する補正光、および、δｙに関しては、撮影者の眼球を下まぶたのほうから発散光にて照射していることにより生じるオフセット成分を補正する補正光も含まれている。
【００２７】
撮影者の眼球光軸の回転角（θｘ、θｙ）が算出されると、撮影者のピント版注視点である座標（ｘ、ｙ）は、カメラの姿勢が横位置である場合、下記の式で求められる。
ｘ＝ｍ×（θx＋△）  ・・・（４）
ｙ＝ｍ×θｙ  ・・・（５）
【００２８】
ｘ方向はカメラの姿勢が横位置の場合の撮影者に対する水平方向、ｙ方向はカメラの姿勢が横位置である場合の撮影者に対する垂直方向であることを示す。ｍは眼球の回転角からピント版上の座標に変換する変換係数を示す。一般的にキャリブレーションした結果でｍを求めるが、本実施例においては、キャリブレーションについて詳細は触れない。△は眼球光軸と注視点とのなす角度である。一般的に、眼球の回転角と撮影者が実際に見ている視軸とは撮影者に対して水平方向に約５度、垂直方向はほとんどずれていないと知られている。
【００２９】
［実施例１］
以下、図１（Ａ）を参照して、本発明の第１の実施例による、静止画撮影時光学ファインダー内にてオートフォーカス結果を表示できない場合に、メガネ型機器の表示部に合焦枠位置を通知し、表示する制御について説明する。
【００３０】
Ｓ１００で操作部材２１０にて、ＳＷ１が押下されることを検知する。ＳＷ１が押下されるまで、特に何もしない。Ｓ１００にてＳＷ１が押下されたことを検出すると、それをトリガにオートフォーカス処理を開始する（Ｓ１０１）。オートフォーカス処理のアルゴリズムに関しては本実施例ではふれない。Ｓ１０１でオートフォーカス処理が完了すると、光学ファインダー２０３内の合焦枠を目立つように表示する。一般的に、赤い枠で表示される。光学ファインダー内の合焦点表示の例を図４に示す。
【００３１】
複数の枠が存在するが、例えば、４００が合焦点だった場合には、４００を赤く表示する（Ｓ１０２）。Ｓ１０３で操作部材２１０にて、ＳＷ２が押下されているか検知する。ＳＷ２が押下されていない場合には、Ｓ１００に戻り、ＳＷ１の検知（Ｓ１００）、検知して入れば、Ｓ１０１、Ｓ１０２を繰り返す。Ｓ１０３にてＳＷ２が押下されていると検知した場合には、Ｓ１０２で赤く点灯表示させたものを消灯する（Ｓ１０４）。静止画撮影時の測光処理等への影響が懸念されるためである。Ｓ１０５にて、光学ファインダーにてユーザの視線位置を検出する。
【００３２】
視線位置の検出アルゴリズムに関しては、これまで述べたような一般的な手法を用いて行う。本実施例の説明として、図４の４０１にユーザの視線位置があるものとしてこれ以下の説明を行う。光学ファインダーにおいて、図４の左上座標を（０，０）としておく。４０１の座標を（Ｆｘ、Ｆｙ）とする。４００で示したオートフォーカスでの合焦枠位置の座標を（ＡＦｘ、ＡＦｙ）とする。Ｓ１０６にて、通信部材２０８を使って、メガネ型ウェアラブル機器と通信を行う。メガネ型ウェアラブル機器の表示部にて、ユーザの視線位置を取得する。
【００３３】
本実施例にて、４０２がメガネ型ウェアラブル機器の視線検出位置とする。この座標を（Ｇｘ、Ｇｙ）とする。Ｓ１０７にて、光学ファインダー内で点灯していた合焦枠位置をメガネ型機器で表示する際の相対位置座標を演算する。光学ファインダーの視線位置４０１から、合焦枠位置４００までの相対位置４０４、４０５は、それぞれ下記のように求めることができる。
４０４ Ｘ座標 ＝ＡＦｘ−Ｆｘ  ・・・（６）
４０５ Ｙ座標 ＝ＡＦｙ−Ｆｙ  ・・・（７）
【００３４】
この相対位置座標をメガネ側の表示領域に適応することで、ファインダー表示とメガネ側ＴＦＴ表示位置を合わせることが可能となる。メガネ型機器にＡＦ枠表示する位置としては、（６）、（７）で求めた結果から下記のように求める。
ＡＧｘ ＝ Ｇｘ＋４０４Ｘ座標
ＡＧｙ ＝ Ｇｙ＋４０５Ｙ座標
【００３５】
Ｓ１０８でＳ１０７にて演算した合焦枠位置をメガネ型機器に通知し、表示させる（Ｓ１０９）。Ｓ１１０にて、ＳＷ２が押下されている状態かどうか確認する。ＳＷ２が押下されていない場合には単写撮影であることが想定されるため、撮影が完了した段階で光学ファインダー２０３内の表示を点灯させることが可能となる。したがって、メガネ型機器で表示させた合焦枠表示を消灯するように通知する。Ｓ１１０にてＳＷ２が押下されていると判断した場合には、連写での撮影が想定される。連写での撮影中は撮影駒間で測光処理を行う必要があるため、光学ファインダー内に合焦枠表示を点灯されることができない。
【００３６】
したがって、Ｓ１１１で駒間でのオートフォーカス処理を実施し、Ｓ１０５に戻ってこれまで述べてきたような処理を実施し、メガネ型機器の表示部に合焦枠表示を出力させる処理を繰り返す。
【００３７】
なお、本実施例において、Ｓ１０６、Ｓ１０７でメガネ型ウェアラブル機器と通信する場合において説明したが、通信部材２０８を使うタイミングに関しては特に制限はしない。ＳＷ１、ＳＷ２の状態を確認する前のタイミングなど、メガネ型機器との通信タイミングにおいては特に規定しない。
【００３８】
本発明によれば、メガネ型ウェアラブル機器を装着しながらファインダー撮影するユーザにおいて、静止画撮影時に光学ファインダー内の表示を消灯させなければならない場合においても、メガネ側機器に光学ファインダーと同一箇所に表示することが可能となる。これにより、これまで連写中などユーザが合焦位置を確認できなかった場合においても、メガネ側機器に表示することで、常に合焦位置を確認することが可能となり、ユーザの操作性を向上させることが可能となる。
【００３９】
［実施例２］
以下、図１（Ｂ）を参照して、本発明の第２の実施例による、静止画撮影時光学ファインダー内にて撮影可能枚数や撮影に関する情報を表示できない場合に、メガネ型機器の表示部に撮影可能枚数や撮影に関する情報を通知し、表示する制御について説明する。
【００４０】
Ｓ１１３で操作部材２１０にて、ＳＷ１が押下されることを検知する。ＳＷ１が押下されるまで、特に何もしない。Ｓ１１３にてＳＷ１が押下されたことを検出すると、それをトリガに撮影可能枚数や撮影時情報を取得する（Ｓ１１４）。撮影時情報の例としては、ＡＶ値、ＴＶ値、ＩＳＯなど測光した結果で変わるものなどを想定している。
【００４１】
本実施例において、撮影時情報に関する制約は特に想定しない。光学ファインダー２０３内に表示可能な情報であれば何でもよい。Ｓ１１４で撮影時情報の取得が完了すると、光学ファインダー２０３内に表示する。光学ファインダー内の撮影情報表示の例を図４に示す。４０６のような表示を想定する。Ｓ１１５で光学ファインダー内の表示を更新する。Ｓ１１６で操作部材２１０にて、ＳＷ２が押下されているか検知する。ＳＷ２が押下されていない場合には、Ｓ１１３に戻り、ＳＷ１の検知（Ｓ１１３）、していれば、Ｓ１１４、Ｓ１１５を繰り返す。
【００４２】
Ｓ１１６にてＳＷ２が押下されていると検知した場合には、Ｓ１１７で光学ファインダー内の撮影情報等を消灯する。Ｓ１１８で光学ファインダー２０３の視線位置を検出する。Ｓ１１９にてメガネ型機器の視線位置を取得し、Ｓ１２０でメガネ型機器の表示部に撮影情報を表示する際の位置座標を演算する。位置座標の演算方法に関しては、実施例１と同様の方法であるため、本実施例では詳細な説明は省略する。Ｓ１２１でＳ１２０にて演算したメガネ型機器での撮影情報を表示する座標をメガネ型機器に通知し、表示させる（Ｓ１２２）。Ｓ１２３でＳＷ２が押下されている状態かどうか確認する。
【００４３】
Ｓ１２４にてＳＷ２が押下されていると判断した場合には、Ｓ１２５で撮影可能枚数演算や撮影に関する情報を取得し、Ｓ１１８に戻ってこれまで述べてきたような処理を実施し、メガネ型機器の表示部に合焦枠表示を出力させる処理を繰り返す。
【００４４】
なお、本実施例においても、実施例１同様、Ｓ１１９、Ｓ１２０のメガネ型ウェアラブル機器との通信タイミングにおいては、さまざまなタイミングを想定している。
【００４５】
本発明によれば、連写中などユーザが撮影に関する情報を確認できなかった場合においても、メガネ側機器に表示することで、常に撮影に関する情報を確認することが可能となり、ユーザの操作性を向上させることが可能となる。
【００４６】
［実施例３］
以下、図１ａを参照して、本発明の第３の実施例による、多重撮影中におけるメガネ型ウェアラブル機器の表示を消灯する制御について説明する。
【００４７】
Ｓ１２６で多重撮影中かどうかを確認する。多重撮影でなければ終了する。多重撮影モードへの設定は、表示部２０９、操作部材２１０を使う。メニュー等からの設定を想定する。Ｓ１２７で再生画像から多重撮影か、２枚目以降の撮影かどうかを判定する。それ以外の場合にはＳ１２６へ戻る。Ｓ１２７で再生画像から多重撮影モードか、２枚目以降の撮影状態である場合には、操作部材２１０のＳＷ１状態を検知する（Ｓ１２８）。ＳＷ１が押下されていない場合には、Ｓ１２９にて画像処理部２０７によって多重撮影の重ね合わせ画像を生成する。
【００４８】
Ｓ１３０で光学ファインダー２０３の視線位置を検出する。Ｓ１３１にてメガネ型機器の視線位置を取得し、Ｓ１３２でメガネ型機器の表示部に撮影情報を表示する際の位置座標を演算する。位置座標の演算方法に関しては、実施例１と同様の方法であるため、本実施例では詳細な説明は省略する。Ｓ１３３にてメガネ型機器で重ね合わせ画像を表示し、多重撮影時においても光学ファインダーを覗きながら重ね合わせの位置を確認させる。Ｓ１２６へ戻る。Ｓ１２８にてＳＷ１が押下されていると検知した場合に、Ｓ１３４にてメガネ型機器にて画像表示状態かどうかを判断する。画像表示状態である場合には、Ｓ１３５にて重ね合わせ画像の消灯を通知する。
【００４９】
本発明によれば、メガネ型ウェアラブル機器を装着しながらファインダー撮影するユーザにおいて、光学ファイダーからの多重撮影においても重ね合わせ画像との位置合わせ確認を実現することが可能となる。これにより、ユーザの操作性向上を可能とする。
【００５０】
［実施例４］
以下、図１ｂを参照して、本発明の第４の実施例による、マルチアスペクト撮影におけるメガネ型ウェアラブル機器の表示を消灯する制御について説明する。
【００５１】
Ｓ１３６でマルチアスペクト設定中かどうかを確認する。マルチアスペクト設定でなければ終了する。マルチアスペクトモードへの設定は、表示部２０９、操作部材２１０を使う。メニュー等からの設定を想定する。Ｓ１３７で操作部材２１０のＳＷ１状態を検知する。ＳＷ１が押下されていない場合には、Ｓ１３８でマルチアスペクト情報を取得する。例えば、１６：９の設定がされている場合とする。Ｓ１３９で光学ファインダー２０３の視線位置を検出する。Ｓ１４０にてメガネ型機器の視線位置を取得し、Ｓ１４１でメガネ型機器の表示部に撮影情報を表示する際の位置座標を演算する。
【００５２】
位置座標の演算方法に関しては、実施例１と同様の方法であるため、本実施例では詳細な説明は省略する。Ｓ１４２にてＳ１３８で取得した情報をもとにマルチアスペクト設定の画角を示すような線を表示させるための通知を行う。
【００５３】
図４の４０８のようなメガネ型機器の表示を想定する。１６：９であることを示すような線を表示する。Ｓ１３７にてＳＷ１が押下されていると検知した場合に、Ｓ１４３にてメガネ型機器にてマルチアスペクトを示す表示状態かどうかを判断する。マルチアスペクトを示す表示状態である場合には、Ｓ１４４にてメガネ型機器の表示消灯を通知する。
【００５４】
本発明によれば、メガネ型ウェアラブル機器を装着しながらファインダー撮影するユーザにおいて、光学ファイダーからのマルチアスペクト撮影する場合においても画角を確認することが可能となる。これにより、ユーザの操作性向上を可能とする。
【００５５】
実施例１乃至４において、メガネ型ウェアラブル機器を装着しながら撮像装置の操作を行った際、光学ファインダーに表示できないタイミング、機能が存在することでユーザの操作性を低下させてしまう恐れがあった。光学ファインダーに表示できない状態において、メガネ型機器の表示部に重ねて表示されることで、ユーザの操作性を向上させることを可能にした。
【００５６】
以上、本発明の好ましい実施形態について説明したが、本発明はこれらの実施形態に限定されず、その要旨の範囲内で種々の変形及び変更が可能である。
【符号の説明】
【００５７】
２０６：光学ファインダー
２０８：撮像装置の通信部材
Ｓ１０１：オートフォーカス処理
Ｓ１０２：オートフォーカスした結果を光学ファインダー内に表示する手段
２０７：静止画撮影手段
Ｓ１０６：光学ファインダーの視線位置を取得手段
２１２：メガネ型ウェアラブル機器の表示部、視線位置取得手段
２１４：メガネ型ウェアラブル機器の通信部材
Ｓ１０９：メガネ型ウェアラブル機器の表示通知手段
【図１】
2018033055.tif 000003
【図１ａ】
2018033055.tif 000004
【図１ｂ】
2018033055.tif 000005
【図２】
2018033055.tif 000006
【図３】
2018033055.tif 000007
【図４】
2018033055.tif 000008